(57)【要約】【課題】盗難又は複製等の行為がなされた場合であっても、車輌盗難防止装置に登録された識別情報が悪意のユーザによって書き換えられることを防止できる車輌認証情報書換装置及び車輌認証情報書換システムを提供する。【解決手段】ＩＤコード書換装置３は、生体情報センサ３６にてユーザの生体情報を取得し、取得した生体情報と生体情報記憶部３７に記憶された生体情報とに基づく生体認証を行って、生体認証に成功した場合にＩＤコードの書き換えを行う。またＩＤコード書換装置３は、ＧＰＳ受信部３８にて受信した信号に基づいて位置情報を取得し、取得した位置情報が位置範囲記憶部３９に記憶された所定位置範囲内であるか否かを判定し、位置情報が所位置定範囲内の場合にＩＤコードの書き換えを行う。【選択図】図２
2013233845.tif 000002
【特許請求の範囲】
【請求項１】
携帯型の通信器との間で通信を行う通信手段、該通信手段により前記通信器との間で認証情報を送受信して認証処理を行う認証手段、前記認証情報を記憶する記憶部、及び、前記認証手段による認証の成否に応じて前記車輌のエンジン始動の可否制御を行う制御手段を有する車輌盗難防止装置に取り外し可能に接続され、前記記憶部に記憶された認証情報の書き換えに係る処理を行う車輌認証情報書換装置において、
書き換えに係る認証情報の入力を受け付ける受付手段と、
生体情報を予め記憶した生体情報記憶部と、
生体情報を取得する生体情報取得手段と、
前記生体情報記憶部に記憶された生体情報及び前記生体情報取得手段が取得した生体情報を基に生体認証を行う生体認証手段と、
該生体認証手段による認証に成功した場合に、前記受付手段が受け付けた認証情報を前記車輌盗難防止装置へ送信する認証情報送信手段と
を備えること
を特徴とする車輌認証情報書換装置。
【請求項２】
ＧＰＳ（Global Positioning System）に基づく位置情報を取得する位置情報取得手段と、
該位置情報取得手段が取得した位置情報が所定位置範囲内であるか否かを判定する位置判定手段と
を備え、
前記認証情報送信手段は、前記生体認証手段による認証に成功し、且つ、前記位置判定手段が所定位置範囲内であると判定した場合に、前記受付手段が受け付けた認証情報を前記車輌盗難防止装置へ送信するようにしてあること
を特徴とする請求項１に記載の車輌認証情報書換装置。
【請求項３】
携帯型の通信器との間で通信を行う通信手段、該通信手段により前記通信器との間で認証情報を送受信して認証処理を行う認証手段、前記認証情報を記憶する記憶部、及び、前記認証手段による認証の成否に応じて前記車輌のエンジン始動の可否制御を行う制御手段を有する車輌盗難防止装置に取り外し可能に接続され、前記記憶部に記憶された認証情報の書き換えに係る処理を行う車輌認証情報書換装置において、
書き換えに係る認証情報の入力を受け付ける受付手段と、
ＧＰＳに基づく位置情報を取得する位置情報取得手段と、
該位置情報取得手段が取得した位置情報が所定位置範囲内であるか否かを判定する位置判定手段と、
該位置判定手段が所定位置範囲内であると判定した場合に、前記受付手段が受け付けた認証情報を前記車輌盗難防止装置へ送信する認証情報送信手段と
を備えること
を特徴とする車輌認証情報書換装置。
【請求項４】
携帯型の通信器との間で通信を行う通信手段、該通信手段により前記通信器との間で認証情報を送受信して認証処理を行う認証手段、前記認証情報を記憶する記憶部、及び、前記認証手段による認証の成否に応じて前記車輌のエンジン始動の可否制御を行う制御手段を有する車輌盗難防止装置に取り外し可能に接続され、前記記憶部に記憶された認証情報の書き換えに係る処理を行う車輌認証情報書換装置と、該車輌認証情報書換装置との間で情報を送受信するサーバ装置とを備える車輌認証情報書換システムであって、
生体情報を取得する生体情報取得手段を備え、
前記車輌認証情報書換装置は、
書き換えに係る認証情報の入力を受け付ける受付手段と、
前記生体情報取得手段が取得した生体情報を前記サーバ装置へ送信する生体情報送信手段と、
該生体情報送信手段が送信した生体情報に基づく生体認証の結果を前記サーバ装置から受信する生体認証結果受信手段と、
該生体認証結果受信手段が受信した生体認証の結果が認証成功である場合に、前記受付手段が受け付けた認証情報を前記車輌盗難防止装置へ送信する認証情報送信手段と
を有し、
前記サーバ装置は、
生体情報を予め記憶した生体情報記憶部と、
前記車輌認証情報書換装置から生体情報を受信する生体情報受信手段と、
前記生体情報記憶部に記憶された生体情報及び前記生体情報受信手段が受信した生体情報を基に生体認証を行う生体認証手段と、
前記生体認証手段による生体認証の結果を前記車輌認証情報書換装置へ送信する生体認証結果送信手段と
を有すること
を特徴とする車輌認証情報書換システム。
【請求項５】
前記車輌認証情報書換装置は、
ＧＰＳに基づく位置情報を取得する位置情報取得手段と、
該位置情報取得手段が取得した位置情報を前記サーバ装置へ送信する位置情報送信手段と
を有し、
前記サーバ装置は、
前記車輌認証情報書換装置から位置情報を受信する位置情報受信手段と、
該位置情報受信手段が受信した位置情報を記憶する位置情報記憶部と
を有すること
を特徴とする請求項４に記載の車輌認証情報書換システム。
【請求項６】
前記車輌認証情報書換装置は、
ＧＰＳに基づく位置情報を取得する位置情報取得手段と、
該位置情報取得手段が取得した位置情報が所定位置範囲内であるか否かを判定する位置判定手段と
を有し、
前記認証情報送信手段は、前記生体認証結果受信手段が受信した生体認証の結果が認証成功であり、且つ、前記位置判定手段が所定位置範囲内であると判定した場合に、前記受付手段が受け付けた認証情報を前記車輌盗難防止装置へ送信するようにしてあること
を特徴とする請求項４に記載の車輌認証情報書換システム。
【請求項７】
前記車輌認証情報書換装置は、
ＧＰＳに基づく位置情報を取得する位置情報取得手段と、
該位置情報取得手段が取得した位置情報を前記サーバ装置へ送信する位置情報送信手段と、
該位置情報送信手段が送信した位置情報が所定位置範囲内であるか否かの判定結果を前記サーバ装置から受信する位置判定結果受信手段と
を有し、
前記認証情報送信手段は、前記生体認証結果受信手段が受信した生体認証の結果が認証成功であり、且つ、前記位置判定結果受信手段が受信した判定結果が所定位置範囲内の判定である場合に、前記受付手段が受け付けた認証情報を前記車輌盗難防止装置へ送信するようにしてあり、
前記サーバ装置は、
前記車輌認証情報書換装置から位置情報を受信する位置情報受信手段と、
該位置情報受信手段が受信した位置情報が所定位置範囲内であるか否かを判定する位置判定手段と、
該位置判定手段による判定結果を前記車輌認証情報書換装置へ送信する位置判定結果送信手段と
を有すること
を特徴とする請求項４に記載の車輌認証情報書換システム。
【請求項８】
携帯型の通信器との間で通信を行う通信手段、該通信手段により前記通信器との間で認証情報を送受信して認証処理を行う認証手段、前記認証情報を記憶する記憶部、及び、前記認証手段による認証の成否に応じて前記車輌のエンジン始動の可否制御を行う制御手段を有する車輌盗難防止装置に取り外し可能に接続され、前記記憶部に記憶された認証情報の書き換えに係る処理を行う車輌認証情報書換装置と、該車輌認証情報書換装置との間で情報を送受信するサーバ装置とを備える車輌認証情報書換システムであって、
前記車輌認証情報書換装置は、
書き換えに係る認証情報の入力を受け付ける受付手段と、
ＧＰＳに基づく位置情報を取得する位置情報取得手段と、
該位置情報取得手段が取得した位置情報を前記サーバ装置へ送信する位置情報送信手段と、
該位置情報送信手段が送信した位置情報が所定位置範囲内であるか否かの判定結果を前記サーバ装置から受信する位置判定結果受信手段と、
該位置判定結果受信手段が受信した判定結果が所定位置範囲内の判定である場合に、前記受付手段が受け付けた認証情報を前記車輌盗難防止装置へ送信する認証情報送信手段と
を有し、
前記サーバ装置は、
前記車輌認証情報書換装置から位置情報を受信する位置情報受信手段と、
該位置情報受信手段が受信した位置情報が所定位置範囲内であるか否かを判定する位置判定手段と、
該位置判定手段による判定結果を前記車輌認証情報書換装置へ送信する位置判定結果送信手段と
を有すること
を特徴とする車輌認証情報書換システム。
【請求項９】
前記車輌認証情報書換装置に取り外し可能に接続され、前記サーバ装置との通信を行う通信装置を更に備え、
前記車輌認証情報書換装置及び前記サーバ装置は、前記通信装置を介して情報を送受信するようにしてあること
を特徴とする請求項４乃至請求項８のいずれか１つに記載の車輌認証情報書換システム。
【請求項１０】
前記車輌認証情報書換装置に取り外し可能に接続され、前記サーバ装置との通信を行う通信装置を更に備え、
前記車輌認証情報書換装置及び前記サーバ装置は、前記通信装置を介して情報を送受信するようにしてあり、
前記生体情報取得手段は、前記通信装置に設けてあること
を特徴とする請求項４乃至請求項７のいずれか１つに記載の車輌認証情報書換システム。
【発明の詳細な説明】
【技術分野】
【０００１】
本発明は、ユーザが所持する携帯型の通信器との間で認証処理を行い、認証に成功した場合にのみエンジン始動を許可することで車輌の盗難を防止する車輌盗難防止装置に対して、認証処理に用いる認証情報の書き換えを行う車輌認証情報書換装置及び車輌認証情報書換システムに関する。
【背景技術】
【０００２】
従来、車輌の盗難を防止する装置としてイモビライザが普及している。イモビライザは、車輌のキーなどに設けられた通信器と、車輌に搭載されたイモビライザＥＣＵ（Electronic Control Unit）との間で認証処理を行い、認証に成功した場合にのみエンジンＥＣＵに対して始動の許可が与えられる。イモビライザの認証処理では、キーに記憶されたＩＤコード（識別情報）と、イモビライザＥＣＵに記憶されたＩＤコードとが照合され、一致した場合に認証成功と判断される。このため、予めイモビライザＥＣＵにＩＤコードが登録されたキーを有しない者が車輌のエンジンを始動することはできず、車輌の盗難を防止することができる。
【０００３】
イモビライザを搭載した車輌では、正規のユーザであってもキーを紛失した場合にはエンジンを始動することができない。このため、キーを紛失した場合には、ＩＤコードが異なる新たなキーを用意し、このキーのＩＤコードをイモビライザＥＣＵに登録する必要がある。ＩＤコードの登録は、車輌のディーラなどに備えられたＩＤコードの書換装置を用いて行われる。ＩＤコードの書換装置は、イモビライザＥＣＵに接続することでＩＤコードを書き換えることができるため、盗難などされることないように厳重に管理される必要がある。
【０００４】
特許文献１においては、正規のユーザがキーを紛失してＩＤコードの再登録を行う場合、再登録モードを実行するためのキーのＩＤコード以外のＩＤコードをイモビライザＥＣＵから全て消去し、正規のユーザが有するキーのＩＤコードのみを新規登録する車輌用盗難防止装置が提案されている。
【０００５】
また特許文献２においては、ＩＤコードの追加登録又はイモビライザ関連部品の交換が行われたとき又は行われようとしたときに、その旨を正規ユーザが所持する通信端末へ通知する車輌盗難防止システムが提案されている。
【先行技術文献】
【特許文献】
【０００６】
【特許文献１】特開平８−１５０８９９号公報
【特許文献２】特開２００５−２８９１５７号公報
【発明の概要】
【発明が解決しようとする課題】
【０００７】
従来のイモビライザでは、ＩＤコードの書換装置の盗難又は複製等の行為がなされた場合、イモビライザＥＣＵに登録されたＩＤコードを悪意のユーザが容易に書き換えることが可能となるため、容易に車輌の盗難を行うことができるという問題がある。特許文献１に記載の車輌用盗難防止装置も同様に、再登録モードを実行するキーの盗難又は複製等の行為がなされた場合、悪意のユーザがＩＤコードを容易に書き換えることができるという問題がある。
【０００８】
また特許文献２に記載の車輌盗難防止システムは、ＩＤコードの追加登録が行われたとき又は行われようとしたときに通知がなされるものの、ユーザが通知を受けたときには既にＩＤコードが書き換えられ、車輌が盗難されている可能性があり、上記の問題を解決し得るものではない。
【０００９】
本発明は、斯かる事情に鑑みてなされたものであって、その目的とするところは、盗難又は複製等の行為がなされた場合であっても、車輌盗難防止装置に登録された識別情報が悪意のユーザによって書き換えられることを防止できる車輌認証情報書換装置及び車輌認証情報書換システムを提供することにある。
【課題を解決するための手段】
【００１０】
本発明に係る車輌認証情報書換装置は、携帯型の通信器との間で通信を行う通信手段、該通信手段により前記通信器との間で認証情報を送受信して認証処理を行う認証手段、前記認証情報を記憶する記憶部、及び、前記認証手段による認証の成否に応じて前記車輌のエンジン始動の可否制御を行う制御手段を有する車輌盗難防止装置に取り外し可能に接続され、前記記憶部に記憶された認証情報の書き換えに係る処理を行う車輌認証情報書換装置において、書き換えに係る認証情報の入力を受け付ける受付手段と、生体情報を予め記憶した生体情報記憶部と、生体情報を取得する生体情報取得手段と、前記生体情報記憶部に記憶された生体情報及び前記生体情報取得手段が取得した生体情報を基に生体認証を行う生体認証手段と、該生体認証手段による認証に成功した場合に、前記受付手段が受け付けた認証情報を前記車輌盗難防止装置へ送信する認証情報送信手段とを備えることを特徴とする。
【００１１】
また、本発明に係る車輌認証情報書換装置は、ＧＰＳ（Global Positioning System）に基づく位置情報を取得する位置情報取得手段と、該位置情報取得手段が取得した位置情報が所定位置範囲内であるか否かを判定する位置判定手段とを備え、前記認証情報送信手段は、前記生体認証手段による認証に成功し、且つ、前記位置判定手段が所定位置範囲内であると判定した場合に、前記受付手段が受け付けた認証情報を前記車輌盗難防止装置へ送信するようにしてあることを特徴とする。
【００１２】
また、本発明に係る車輌認証情報書換装置は、携帯型の通信器との間で通信を行う通信手段、該通信手段により前記通信器との間で認証情報を送受信して認証処理を行う認証手段、前記認証情報を記憶する記憶部、及び、前記認証手段による認証の成否に応じて前記車輌のエンジン始動の可否制御を行う制御手段を有する車輌盗難防止装置に取り外し可能に接続され、前記記憶部に記憶された認証情報の書き換えに係る処理を行う車輌認証情報書換装置において、書き換えに係る認証情報の入力を受け付ける受付手段と、ＧＰＳに基づく位置情報を取得する位置情報取得手段と、該位置情報取得手段が取得した位置情報が所定位置範囲内であるか否かを判定する位置判定手段と、該位置判定手段が所定位置範囲内であると判定した場合に、前記受付手段が受け付けた認証情報を前記車輌盗難防止装置へ送信する認証情報送信手段とを備えることを特徴とする。
【００１３】
また、本発明に係る車輌認証情報書換システムは、携帯型の通信器との間で通信を行う通信手段、該通信手段により前記通信器との間で認証情報を送受信して認証処理を行う認証手段、前記認証情報を記憶する記憶部、及び、前記認証手段による認証の成否に応じて前記車輌のエンジン始動の可否制御を行う制御手段を有する車輌盗難防止装置に取り外し可能に接続され、前記記憶部に記憶された認証情報の書き換えに係る処理を行う車輌認証情報書換装置と、該車輌認証情報書換装置との間で情報を送受信するサーバ装置とを備える車輌認証情報書換システムであって、生体情報を取得する生体情報取得手段を備え、前記車輌認証情報書換装置は、書き換えに係る認証情報の入力を受け付ける受付手段と、前記生体情報取得手段が取得した生体情報を前記サーバ装置へ送信する生体情報送信手段と、該生体情報送信手段が送信した生体情報に基づく生体認証の結果を前記サーバ装置から受信する生体認証結果受信手段と、該生体認証結果受信手段が受信した生体認証の結果が認証成功である場合に、前記受付手段が受け付けた認証情報を前記車輌盗難防止装置へ送信する認証情報送信手段とを有し、前記サーバ装置は、生体情報を予め記憶した生体情報記憶部と、前記車輌認証情報書換装置から生体情報を受信する生体情報受信手段と、前記生体情報記憶部に記憶された生体情報及び前記生体情報受信手段が受信した生体情報を基に生体認証を行う生体認証手段と、前記生体認証手段による生体認証の結果を前記車輌認証情報書換装置へ送信する生体認証結果送信手段とを有することを特徴とする。
【００１４】
また、本発明に係る車輌認証情報書換システムは、前記車輌認証情報書換装置が、ＧＰＳに基づく位置情報を取得する位置情報取得手段と、該位置情報取得手段が取得した位置情報を前記サーバ装置へ送信する位置情報送信手段とを有し、前記サーバ装置は、前記車輌認証情報書換装置から位置情報を受信する位置情報受信手段と、該位置情報受信手段が受信した位置情報を記憶する位置情報記憶部とを有することを特徴とする。
【００１５】
また、本発明に係る車輌認証情報書換システムは、前記車輌認証情報書換装置が、ＧＰＳに基づく位置情報を取得する位置情報取得手段と、該位置情報取得手段が取得した位置情報が所定位置範囲内であるか否かを判定する位置判定手段とを有し、前記認証情報送信手段は、前記生体認証結果受信手段が受信した生体認証の結果が認証成功であり、且つ、前記位置判定手段が所定位置範囲内であると判定した場合に、前記受付手段が受け付けた認証情報を前記車輌盗難防止装置へ送信するようにしてあることを特徴とする。
【００１６】
また、本発明に係る車輌認証情報書換システムは、前記車輌認証情報書換装置が、ＧＰＳに基づく位置情報を取得する位置情報取得手段と、該位置情報取得手段が取得した位置情報を前記サーバ装置へ送信する位置情報送信手段と、該位置情報送信手段が送信した位置情報が所定位置範囲内であるか否かの判定結果を前記サーバ装置から受信する位置判定結果受信手段とを有し、前記認証情報送信手段は、前記生体認証結果受信手段が受信した生体認証の結果が認証成功であり、且つ、前記位置判定結果受信手段が受信した判定結果が所定位置範囲内の判定である場合に、前記受付手段が受け付けた認証情報を前記車輌盗難防止装置へ送信するようにしてあり、前記サーバ装置は、前記車輌認証情報書換装置から位置情報を受信する位置情報受信手段と、該位置情報受信手段が受信した位置情報が所定位置範囲内であるか否かを判定する位置判定手段と、該位置判定手段による判定結果を前記車輌認証情報書換装置へ送信する位置判定結果送信手段とを有することを特徴とする。
【００１７】
また、本発明に係る車輌認証情報書換システムは、携帯型の通信器との間で通信を行う通信手段、該通信手段により前記通信器との間で認証情報を送受信して認証処理を行う認証手段、前記認証情報を記憶する記憶部、及び、前記認証手段による認証の成否に応じて前記車輌のエンジン始動の可否制御を行う制御手段を有する車輌盗難防止装置に取り外し可能に接続され、前記記憶部に記憶された認証情報の書き換えに係る処理を行う車輌認証情報書換装置と、該車輌認証情報書換装置との間で情報を送受信するサーバ装置とを備える車輌認証情報書換システムであって、前記車輌認証情報書換装置は、書き換えに係る認証情報の入力を受け付ける受付手段と、ＧＰＳに基づく位置情報を取得する位置情報取得手段と、該位置情報取得手段が取得した位置情報を前記サーバ装置へ送信する位置情報送信手段と、該位置情報送信手段が送信した位置情報が所定位置範囲内であるか否かの判定結果を前記サーバ装置から受信する位置判定結果受信手段と、該位置判定結果受信手段が受信した判定結果が所定位置範囲内の判定である場合に、前記受付手段が受け付けた認証情報を前記車輌盗難防止装置へ送信する認証情報送信手段とを有し、前記サーバ装置は、前記車輌認証情報書換装置から位置情報を受信する位置情報受信手段と、該位置情報受信手段が受信した位置情報が所定位置範囲内であるか否かを判定する位置判定手段と、該位置判定手段による判定結果を前記車輌認証情報書換装置へ送信する位置判定結果送信手段とを有することを特徴とする。
【００１８】
また、本発明に係る車輌認証情報書換システムは、前記車輌認証情報書換装置に取り外し可能に接続され、前記サーバ装置との通信を行う通信装置を更に備え、前記車輌認証情報書換装置及び前記サーバ装置は、前記通信装置を介して情報を送受信するようにしてあることを特徴とする。
【００１９】
また、本発明に係る車輌認証情報書換システムは、前記車輌認証情報書換装置に取り外し可能に接続され、前記サーバ装置との通信を行う通信装置を更に備え、前記車輌認証情報書換装置及び前記サーバ装置は、前記通信装置を介して情報を送受信するようにしてあり、前記生体情報取得手段は、前記通信装置に設けてあることを特徴とする。
【００２０】
本発明においては、車輌に搭載された車輌盗難防止装置の記憶部に記憶された認証情報の書き換えに係る処理を行う車輌認証情報書換装置に、ユーザの指紋、静脈、声紋又は光彩等の生体情報を取得する手段を設ける。車輌認証情報書換装置は、例えば車輌に対応付けてユーザの生体情報を予め記憶しておき、取得した生体情報と予め記憶した生体情報とに基づいて生体認証を行う。生体認証に成功した場合、車輌認証情報書換装置は、新たなキーの識別情報など書換対象の識別情報を、例えば識別情報の書換命令などと共に、車輌盗難防止装置へ送信する。車輌盗難防止装置は、記憶部に記憶した識別情報を車輌認証情報書換装置から受信した識別情報に書き換える。
これにより、車輌認証情報書換装置が盗難又は複製等された場合であっても、生体情報が登録された正規のユーザが生体認証を行わなければ識別情報を書き換えることができないため、悪意のユーザによる識別情報の書き換えを防止でき、車輌の盗難を防止できる。
【００２１】
また、本発明においては、車輌に搭載された車輌盗難防止装置の記憶部に記憶された認証情報の書き換えに係る処理を行う車輌認証情報書換装置に、ＧＰＳに基づく位置情報を取得する手段を設ける。車輌認証情報書換装置は、例えばこの装置を備えるディーラから数百メートルなどの所定位置範囲を記憶しておき、取得した位置情報から車輌認証情報書換装置がこの所定位置範囲内に存在するか否かを判定する。所定位置範囲内に存在すると判定した場合、車輌認証情報書換装置は、新たなキーの識別情報など書換対象の識別情報を、例えば識別情報の書換命令などと共に、車輌盗難防止装置へ送信する。車輌盗難防止装置は、記憶部に記憶した識別情報を車輌認証情報書換装置から受信した識別情報に書き換える。
これにより、車輌認証情報書換装置が盗難又は複製等された場合であっても、予め定められた位置範囲内でのみの使用に限定されるため、悪意のユーザによる識別情報の書き換えを防止でき、車輌の盗難を防止できる。
【００２２】
また、本発明においては、ユーザの生体情報の記憶及びこの生体情報に基づく生体認証等の処理をサーバ装置にて行う。車輌認証情報書換装置は、ＬＡＮ（Local Area Network）、インターネット又は携帯電話網等のネットワークを介してサーバ装置との間で情報を送受信する。車輌認証情報書換装置は、ユーザの生体情報を取得し、例えばユーザ名及び車輌情報等と共に生体情報をサーバ装置へ送信する。サーバ装置は、受信した生体情報と予め記憶した生体情報とを照合して生体認証を行い、生体認証の結果を車輌認証情報書換装置へ送信する。車輌認証情報書換装置は、サーバ装置から送信された生体認証の結果を受信し、生体認証が成功した場合に書換対象の識別情報を車輌盗難防止装置へ送信する。
生体情報の記憶及び生体認証の処理をサーバ装置が行う構成であるため、異なる複数の車輌認証情報書換装置が共通の生体情報を利用することができる。生体情報を車輌認証情報書換装置が記憶しなくてよいため、車輌認証情報書換装置が盗難された場合に、生体情報の盗難又は改竄等がなされることがない。
【００２３】
また、本発明においては、ＧＰＳに基づいて取得した位置情報が所定位置範囲内であるか否かの判定をサーバ装置にて行う。車輌認証情報書換装置は、ＬＡＮ、インターネット又は携帯電話網等のネットワークを介してサーバ装置との間で情報を送受信する。車輌認証情報書換装置は、ＧＰＳに基づいて位置情報を取得し、例えば装置の識別番号などと共に位置情報をサーバ装置へ送信する。サーバ装置は、車輌認証情報書換装置毎に書き換えに係る処理を行うことができる位置範囲を記憶しておき、受信した位置情報が記憶した所定位置範囲内であるか否かを判定して、判定結果を車輌認証情報書換装置へ送信する。車輌認証情報書換装置は、サーバ装置から送信された位置情報の判定結果を受信し、位置情報が所定範囲内であると判定された場合に書換対象の識別情報を車輌盗難防止装置へ送信する。
所定位置範囲の記憶及び判定をサーバ装置が行う構成であるため、車輌認証情報書換装置が盗難された場合に、所定位置範囲の改竄などがなされることがない。
【００２４】
また、本発明においては、車輌認証情報書換装置がＧＰＳに基づく位置情報を取得してサーバ装置へ送信し、サーバ装置は位置情報を受信して記憶する。これにより、車輌認証情報書換装置が盗難された場合に、車輌認証情報書換装置の位置を追跡することができる。
【００２５】
また、本発明においては、サーバ装置との情報送受信を行うために、車輌認証情報書換装置に通信機能を設けるのではなく、通信機能を有する通信装置を車輌認証情報書換装置に接続し、車輌認証情報書換装置が通信装置を介してサーバ装置との通信を行う構成としてもよい。通信装置は、可搬型のものであってもよく、ディーラなどに設置固定されたものであってもよい。これにより、通信機能を備える必要がないため、車輌認証情報書換装置を低コスト化することができる。また車輌認証情報書換装置が盗難された場合であっても、通信装置がなければサーバ装置との通信を行うことができないため、識別情報の書き換えを行うことはできない。
また、生体情報を取得する手段は通信装置に設けてもよい。これにより、車輌認証情報書換装置を更に低コスト化することができると共に、通信装置がなければ生体認証を行うことができないため、識別情報の書き換えを行うことはできない。
【発明の効果】
【００２６】
本発明による場合は、生体認証に成功した場合にのみ、車輌認証情報書換装置が車輌盗難防止装置に登録された識別情報の書き換えを行う構成とすることにより、車輌認証情報書換装置が盗難又は複製等された場合であっても、悪意のユーザによる識別情報の書き換えを防止できる。また、車輌認証情報書換装置の位置が所定位置範囲内の場合にのみ、車輌認証情報書換装置が車輌盗難防止装置に登録された識別情報の書き換えを行う構成とすることにより、車輌認証情報書換装置の使用が予め定められた位置範囲内に限定されるため、悪意のユーザによる識別情報の書き換えを防止できる。これらの構成により、車輌盗難防止装置に登録された識別情報が書き換えられることを防止でき、車輌認証情報書換装置を悪用した車輌の盗難を防止することができる。
【図面の簡単な説明】
【００２７】
【図１】車輌盗難防止装置の構成を示すブロック図である。
【図２】実施の形態１に係るＩＤコード書換装置の構成を示すブロック図である。
【図３】実施の形態１に係るＩＤコード書換装置が行うＩＤコードの書換処理の手順を示すフローチャートである。
【図４】実施の形態２に係るＩＤコード書換システムの構成を示すブロック図である。
【図５】実施の形態２に係るＩＤコード書換装置が行うＩＤコードの書換処理の手順を示すフローチャートである。
【図６】実施の形態２に係るＩＤコード書換装置が行うＩＤコードの書換処理の手順を示すフローチャートである。
【図７】実施の形態２に係るＩＤコード書換装置が行う周期的な位置情報送信処理の手順を示すフローチャートである。
【図８】サーバ装置が行う処理の手順を示すフローチャートである。
【図９】実施の形態３に係るＩＤコード書換システムの構成を示すブロック図である。
【発明を実施するための形態】
【００２８】
（実施の形態１）
以下、本発明をその実施の形態を示す図面に基づき具体的に説明する。図１は、車輌盗難防止装置の構成を示すブロック図である。図において一点鎖線で示す１は車輌であり、車輌１にはエンジン（図示は省略する）の制御を行うエンジンＥＣＵ１７が搭載されている。また車輌１には、盗難を防止するための装置としてイモビライザＥＣＵ１０が搭載されている。イモビライザＥＣＵ１０は、車輌１の正規のユーザが所持する可搬型のキー２との間でＩＤコードを送受信して認証処理を行い、認証処理の結果に応じてエンジンＥＣＵ１７に対してエンジン始動の許可／禁止を示す制御信号を出力する装置である。
【００２９】
イモビライザＥＣＵ１０は、制御部１１、無線通信部１２、記憶部１３、接続部１４及び出力部１５等を備えて構成されている。制御部１１は、ＣＰＵ（Central Processing Unit）又はＭＰＵ（Micro Processing Unit）等の演算処理装置で構成され、予めＲＯＭ（Read Only Memory）などに記憶されたプログラムを読み出して実行することにより、イモビライザＥＣＵ１０内の各部の制御処理及びＩＤコードを用いた認証処理を含む各種の演算処理を行う。
【００３０】
無線通信部１２は、キー２に備えられたＩＤコード送信器２ａとの間で無線通信を行うものである。キー２のＩＤコード送信器２ａは、予めＩＤコードを記憶しており、無線通信部１２からの要求に応じてＩＤコードを送信する。無線通信部１２は、ＩＤコード送信器２ａから受信したＩＤコードを制御部１１へ与える。なお無線通信部１２及びＩＤコード送信器２ａの間で送受信する情報は、暗号化される。
【００３１】
記憶部１３は、ＥＥＰＲＯＭ（Electrically Erasable Programmable ROM）又はフラッシュメモリ等の不揮発性のメモリ素子で構成されている。記憶部１３には、一又は複数のＩＤコードが予め記憶されている。制御部１１は、記憶部１３からＩＤコードを読み出して認証処理を行う。また制御部１１は、記憶部１３に記憶されたＩＤコードの書き換え（ＩＤコードの新規追加及び削除等を含む）を行うこともできる。
【００３２】
接続部１４は、信号ケーブル３ａを接続するための端子を有している。接続部１４は、信号ケーブル３ａを介して外部の装置を接続することができ、外部の装置との間で情報の授受を行う。特に本実施の形態において、イモビライザＥＣＵ１０には、接続部１４に信号ケーブル３ａを介してＩＤコード書換装置３を接続することができる。接続部１４は、ＩＤコード書換装置３からの情報を制御部１１へ与え、制御部１１からの情報をＩＤコード書換装置３へ与える。
【００３３】
出力部１５は、車輌１内に配設された信号線を介してエンジンＥＣＵ１７に接続されている。出力部１５は、制御部１１の制御に従って、エンジン始動の許可／禁止を示す制御信号をエンジンＥＣＵ１７へ出力する。なお出力部１５が出力する信号は、シリアル又はパラレルの信号による複数ビットのデータであってよい。
【００３４】
イモビライザＥＣＵ１０の制御部１１は、車輌１のエンジン始動に係る操作がユーザによってなされた場合に、無線通信部１２にてキー２のＩＤコード送信器２ａに対するＩＤコードの送信要求を無線送信する。ＩＤコード送信器２ａはイモビライザＥＣＵ１０からの要求に応じてＩＤコードを無線送信し、これを受信したイモビライザＥＣＵ１０の無線通信部１２は、受信したＩＤコードを制御部１１へ与える。制御部１１は、無線通信部１２にて受信したＩＤコードと、記憶部１３に予め記憶されたＩＤコードとが一致するか否かを判定する認証処理を行う。
【００３５】
認証処理に成功した場合（即ち両ＩＤコードが一致した場合）、制御部１１は、エンジン始動を許可する信号を出力部１５からエンジンＥＣＵ１７へ出力する。なお、認証処理の成功からエンジン始動許可信号を出力するまでの間に、イモビライザＥＣＵ１０及びＩＤコード送信器２ａの間で一又は複数回の無線通信による情報交換を行ってもよい。
【００３６】
認証処理に失敗した場合（即ち両ＩＤコードが一致しない場合）、制御部１１は、エンジン始動を禁止する信号を出力部１５からエンジンＥＣＵ１７へ出力する（又は、出力部１５からエンジンＥＣＵ１７への信号出力を行わない）。この場合、制御部１１は、例えば車輌の運転席近傍に設置された表示装置（図示は省略する）にエラーメッセージなどを表示する処理を行う。
【００３７】
図２は、実施の形態１に係るＩＤコード書換装置３の構成を示すブロック図である。ＩＤコード書換装置３は、可搬型の装置であり、車輌１のディーラなどに備えられ、ディーラの作業員などが使用する装置である。ＩＤコード書換装置３は、信号ケーブル３ａを介して車輌１のイモビライザＥＣＵ１０に接続され、イモビライザＥＣＵ１０の記憶部１３に記憶されたＩＤコードを書き換える処理を行う。
【００３８】
ＩＤコード書換装置３は、制御部３１、接続部３２、入力部３３、操作部３４、表示部３５、生体情報センサ３６、生体情報記憶部３７、ＧＰＳ受信部３８及び位置範囲記憶部３９等を備えて構成されている。制御部３１は、ＣＰＵ又はＭＰＵ等の演算処理装置で構成され、予めＲＯＭなどに記憶されたプログラムを読み出して実行することにより、ＩＤコード書換装置３内の各部の制御処理、生体認証処理及びＩＤコードの書換処理を含む各種の演算処理を行う。
【００３９】
接続部３２は、信号ケーブル３ａを接続するための端子を有している。接続部３２は、信号ケーブル３ａを介して車輌１のイモビライザＥＣＵ１０に接続することができ、イモビライザＥＣＵ１０との間で情報の授受を行う。接続部３２は、イモビライザＥＣＵ１０からの情報を制御部３１へ与え、制御部３１からの情報をイモビライザＥＣＵ１０へ与える。
【００４０】
入力部３３は、ＩＤコード書換装置３にて書き換える新たなＩＤコードを入力するためのものである。入力部３３は、例えば作業員などがＩＤコードを直接的に入力するテンキー又はキーボード等であってよく、この場合には入力された数字又は文字等のＩＤコードが制御部３１へ与えられる。また入力部３３は、新たなキー２との間で無線通信を行って、新たなキー２に記憶されたＩＤコードを取得する構成であってもよく、この場合には新たなキー２のＩＤコード送信器２ａから受信したＩＤコードが制御部３１へ入力される。
【００４１】
操作部３４は、作業員などがＩＤコード書換装置３を操作するために必要な一又は複数のスイッチなどで構成されている。操作部３４は、作業員などによってなされた操作に応じた信号を制御部３１へ与える。なお操作部３４は、入力部３３と共通のスイッチなどを用いるものであってよい。また操作部３４は、タッチパネルを用いるものであってもよい。表示部３５は、液晶パネルなどで構成されている。表示部３５は、制御部３１の制御に従って、ＩＤコードの書換処理に係るメニュー及びエラーメッセージ等の表示を行う。
【００４２】
生体情報センサ３６は、ユーザの生体情報を取得するためのセンサである。生体情報センサ３６が検知する生体情報は、例えばユーザの指紋、静脈、声紋又は虹彩等であってよく、これら以外のものであってよい。ＩＤコード書換装置３には、これらの生体情報の取得に適した一又は複数のセンサが生体情報センサ３６として搭載される。生体情報センサ３６が検知した生体情報は、制御部３１へ与えられる。
【００４３】
生体情報記憶部３７は、ＥＥＰＲＯＭ若しくはフラッシュメモリ等の不揮発性のメモリ素子、又は、ハードディスクなどの記憶装置で構成されている。また生体情報記憶部３７は、メモリカード又は光ディスク等の記録媒体を装着する構成であってもよい。生体情報記憶部３７には、車輌１のユーザから予め取得した生体情報が、例えばユーザ名及び車輌１の識別番号（又はイモビライザＥＣＵ１０の識別番号）等の情報に対応付けて、予め記憶されている。制御部３１は、ユーザ名及び車輌１の識別番号等の情報にて生体情報記憶部３７を参照し、所望のユーザの生体情報を読み出すことができる。また制御部３１は、生体情報記憶部３７に対する生体情報の追加、変更及び削除等を行うことができる構成であってもよい。
【００４４】
ＧＰＳ受信部３８は、ＧＰＳの複数の人工衛星から送信された信号を受信し、受信した信号に基づいてＩＤコード書換装置３の現在の位置情報（緯度及び経度等の情報）を取得する。受信した信号から現在の位置情報を取得する方法は、既存の技術であるため詳細な説明を省略する。ＧＰＳ受信部３８は、取得した位置情報を制御部３１へ与える。
【００４５】
位置範囲記憶部３９は、ＥＥＰＲＯＭ又はフラッシュメモリ等の不揮発性のメモリ素子で構成されている。なお位置範囲記憶部３９は、生体情報記憶部３７と共通のメモリ素子で構成されるものであってよい。位置範囲記憶部３９は、ＩＤコード書換装置３の使用を許可する所定位置範囲（緯度及び経度等の位置範囲情報）が予め記憶されている。
【００４６】
例えば車輌１の正規のユーザがキー２を紛失した場合、車輌１のディーラなどにて、イモビライザＥＣＵ１０に新たなキー２のＩＤコードを登録する作業を、作業員がＩＤコード書換装置３を用いて行う。なおこのときに、紛失したキー２のＩＤコードを削除することが望ましい。作業員は、車輌１のイモビライザＥＣＵ１０に信号ケーブル３ａを用いてＩＤコード書換装置３を接続し、ＩＤコード書換装置３を起動する。
【００４７】
ＩＤコード書換装置３は、ＧＰＳ受信部３８にて受信信号に基づく位置情報の取得を行い、取得した位置情報が位置範囲記憶部３９に記憶された所定位置範囲内であるか否かを判定する。ＩＤコード書換装置３は、取得した位置情報が所定位置範囲内でない場合（即ちＩＤコード書換装置３が定められた位置範囲内に存在しない場合）、表示部３５にエラーメッセージの表示などを行い、ＩＤコードの書き換えに係る処理を行わない。ＩＤコード書換装置３は、取得した位置情報が所定範囲内の場合、ＩＤコードの書き換えに係る操作を行うためのメニュー画面などを表示部３５に表示し、作業者による各種の情報の入力を受け付ける。
【００４８】
作業者は、ＩＤコード書換装置３の表示部３５に表示されたメニューなどに基づき、入力部３３又は操作部３４を利用して新たなキー２のＩＤコード、ユーザ名及び車輌１の識別番号等の情報を入力する。これらの情報の入力を受け付けた後、ＩＤコード書換装置３は、生体情報の入力を促すメッセージを表示部３５に表示する。ＩＤコードの書換対象のイモビライザＥＣＵ１０を搭載した車輌１のユーザは、生体情報センサ３６にて生体情報の入力を行う。ＩＤコード書換装置３は、生体情報センサ３６にてユーザの生体情報を取得すると共に、このユーザの生体情報を生体情報記憶部３７から読み出して、生体認証を行う。生体認証に成功した場合（即ち、生体情報センサ３６にて取得した生体情報と、生体情報記憶部３７から読み出した生体情報とが略一致した場合）、ＩＤコード書換装置３は、入力部３３にて入力された新たなＩＤコードを、書換命令などと共に接続部３２からイモビライザＥＣＵ１０へ送信する。イモビライザＥＣＵ１０は、ＩＤコード書換装置３からの書換命令及びＩＤコードを受信した場合、記憶部１３に記憶したＩＤコードの書き換えを行う。なお生体認証に失敗した場合、ＩＤコード書換装置３は、表示部３５にエラーメッセージなどを表示し、生体情報の再入力を促す。
【００４９】
図３は、実施の形態１に係るＩＤコード書換装置３が行うＩＤコードの書換処理の手順を示すフローチャートである。ＩＤコード書換装置３の制御部３１は、まず、ＧＰＳ受信部３８にて受信した信号を基に現在の位置情報を取得し（ステップＳ１）、取得した位置情報が位置範囲記憶部３９に記憶した所定位置範囲内であるか否かを判定する（ステップＳ２）。所定位置範囲内でない場合（Ｓ２：ＮＯ）、制御部３１は、表示部３５にエラーメッセージを表示して（ステップＳ３）、ステップＳ１へ処理を戻し、位置情報の取得及び判定を繰り返し行う。
【００５０】
取得した位置情報が所定範囲内の場合（Ｓ２：ＹＥＳ）、制御部３１は、ＩＤコード書き換えに係る操作を行うためのメニューを表示部３５に表示し（ステップＳ４）、新たなキー２のＩＤコード、ユーザ名及び車輌１の識別番号等の情報の入力を入力部３３又は操作部３４にて受け付ける（ステップＳ５）。次いで制御部３１は、表示部３５にメッセージを表示するなどして生体情報の取得を要求し（ステップＳ６）、生体情報センサ３６にて生体情報の取得を行う（ステップＳ７）。
【００５１】
次いで制御部３１は、ステップＳ５にて受け付けた情報を基に、ＩＤコードの書換対象のイモビライザＥＣＵ１０を搭載した車輌１のユーザの生体情報を、生体情報記憶部３７から読み出す（ステップＳ８）。制御部３１は、ステップＳ７にて取得した生体情報と、ステップＳ８にて読み出した生体情報とを用いて生体認証処理を行い（ステップＳ９）、生体認証が成功したか否か（即ち２つの生体情報が略一致したか否か）を判定する（ステップＳ１０）。生体認証に成功した場合（Ｓ１０：ＹＥＳ）、制御部３１は、ステップＳ５にて入力を受け付けた新たなＩＤコードを、ＩＤコードの書換命令などと共に接続部３２からイモビライザＥＣＵ１０へ送信し（ステップＳ１１）、処理を終了する。生体認証に失敗した場合（Ｓ１０：ＮＯ）、制御部３１は、表示部３５にエラーメッセージを表示して（ステップＳ１２）、処理を終了する。
【００５２】
以上の構成の実施の形態１に係るＩＤコード書換装置３は、生体認証に成功した場合にＩＤコードの書き換えを行う構成とすることにより、正規のユーザ以外の悪意のユーザによるＩＤコードの書き換えを防止することができる。またＩＤコード書換装置３は、ＧＰＳに基づく位置情報が所位置定範囲内の場合にＩＤコードの書き換えを行う構成とすることにより、ＩＤコード書換装置３が盗難された場合に所定位置範囲外でのＩＤコード書き換えを防止することができる。よって、ＩＤコード書換装置３が盗難された場合であっても、イモビライザＥＣＵ１０の記憶部１３に記憶されたＩＤコードが書き換えられることを防止できるため、車輌１の盗難を防止することができる。
【００５３】
なお、本実施の形態においては、生体認証に基づくＩＤコードの書換制限と、ＧＰＳの位置情報に基づくＩＤコードの書換制限との両方をＩＤコード書換装置３が行う構成としたが、これに限るものではなく、いずれか一方の書換制限のみを行う構成であってもよい。またイモビライザＥＣＵ１０及びＩＤコード書換装置３を信号ケーブル３ａにて有線接続する構成としたが、これに限るものではなく、無線通信による無線接続を行う構成としてもよい。
【００５４】
（実施の形態２）
図４は、実施の形態２に係るＩＤコード書換システムの構成を示すブロック図である。実施の形態２に係るＩＤコード書換システムは、ＩＤコード書換装置２０３と、サーバ装置５とを備えて構成されている。実施の形態２に係るＩＤコード書換装置２０３は、実施の形態１に係るＩＤコード書換装置３と略同じ構成であるが、生体情報記憶部３７及び位置範囲記憶部３９を備えず、これらに代えて通信部２４０を備えている。
【００５５】
通信部２４０は、ＬＡＮ、インターネット又は携帯電話網等のネットワークを介してサーバ装置５との間で情報を送受信する。通信部２４０が行う通信は有線又は無線のいずれであってもよい。通信部２４０は、制御部３１から与えられた情報をサーバ装置５へ送信すると共に、サーバ装置５から受信した情報を制御部３１へ与える。
【００５６】
サーバ装置５は、車輌１のディーラ、又は、複数のディーラの情報を集中管理する管理センタ等に設置される。サーバ装置５は、制御部５１、通信部５２、生体情報記憶部５３、位置範囲記憶部５４及び位置情報記憶部５５等を備えて構成されており、汎用のコンピュータを用いて実現することができる。制御部５１は、ＣＰＵ又はＭＰＵ等の演算処理装置で構成され、予めハードディスクなどに記憶されたプログラムを読み出して実行することにより、各種の演算処理を行う。特に本実施の形態においては、制御部５１は、生体認証処理、ＧＰＳにて取得した位置情報が所定位置範囲内であるか否かの判定処理、及び、位置情報の記憶処理等を行う。
【００５７】
通信部５２は、ＬＡＮ、インターネット又は携帯電話網等のネットワークを介してＩＤコード書換装置２０３との間で情報を送受信する。通信部５２が行う通信は有線又は無線のいずれであってもよい。通信部５２は、制御部５１から与えられた情報をＩＤコード書換装置３へ送信すると共に、ＩＤコード書換装置３から受信したデータを制御部５１へ与える。
【００５８】
生体情報記憶部５３は、ハードディスクなどの記憶装置を利用して設けられる。生体情報記憶部５３は、車輌１のユーザから予め取得した生体情報を、例えばユーザ名及び車輌１の識別番号（又はイモビライザＥＣＵ１０の識別番号）等の情報に対応付けて、予め記憶している。制御部５１は、ユーザ名及び車輌１の識別番号等の情報にて生体情報記憶部５３を参照し、所望のユーザの生体情報を読み出すことができる。また制御部５１は、生体情報記憶部５３に対する生体情報の追加、変更及び削除等を行うことができる。
【００５９】
位置範囲記憶部５４は、ハードディスクなどの記憶装置を利用して設けられる。位置範囲記憶部５４は、ＩＤコード書換装置２０３の使用が可能な範囲（所定位置範囲）を、例えばＩＤコード書換装置２０３の識別番号などの情報に対応付けて、ＩＤコード書換装置２０３毎に記憶している。制御部５１は、ＩＤコード書換装置２０３の識別番号などの情報にて位置範囲記憶部５４を参照し、所望のＩＤコード書換装置２０３の所定位置範囲を読み出すことができる。また制御部５１は、位置範囲記憶部５４に対する所定位置範囲の追加、変更及び削除等を行うことができる。
【００６０】
位置情報記憶部５５は、ハードディスクなどの記憶装置を利用して設けられる。なお、生体情報記憶部５３、位置範囲記憶部５４及び位置情報記憶部５５は、共通の記憶装置の記憶領域を分割して利用する構成であってよい。位置情報記憶部５５は、ＩＤコード書換装置３が周期的に送信する位置情報を、所定期間又は所定回数分に亘って記憶し蓄積する。
【００６１】
実施の形態２に係るＩＤコード書換システムは、ＩＤコード書換装置３が生体情報センサ３６にて取得した生体情報をサーバ装置５へ送信し、サーバ装置５が受信した生体情報と生体情報記憶部５３に記憶された生体情報とに基づく生体認証処理を行ってその結果をＩＤコード書換装置２０３へ送信する。ＩＤコード書換装置２０３は、サーバ装置５から生体認証の結果を受信し、生体認証に成功した場合にＩＤコードの書き換えに係る処理を行う。
【００６２】
同様に実施の形態２に係るＩＤコード書換システムは、ＩＤコード書換装置２０３がＧＰＳ受信部３８にて受信した信号に基づいて取得した位置情報をサーバ装置５へ送信し、この位置情報が位置範囲記憶部５４に記憶された所定位置範囲内であるか否かをサーバ装置５が判定してその結果をＩＤコード書換装置２０３へ送信する。ＩＤコード書換装置２０３は、サーバ装置５から判定結果を受信し、位置情報が所定範囲内であると判定された場合にＩＤコードの書き換えに係る処理を行う。
【００６３】
また実施の形態２に係るＩＤコード書換システムは、ＩＤコード書換装置２０３がＧＰＳ受信部３８にて受信した信号に基づく位置情報を取得し、取得した位置情報を、例えば数秒毎又は数分毎等のように、周期的にサーバ装置５へ送信する。サーバ装置５は、ＩＤコード書換装置２０３からの位置情報を受信し、受信した位置情報を位置情報記憶部５５に記憶し蓄積する。
【００６４】
図５及び図６は、実施の形態２に係るＩＤコード書換装置２０３が行うＩＤコードの書換処理の手順を示すフローチャートである。ＩＤコード書換装置２０３の制御部３１は、まず、ＧＰＳ受信部３８にて受信した信号を基に現在の位置情報を取得し（ステップＳ２１）、取得した位置情報を、位置情報の判定命令及びＩＤコード書換装置２０３の識別番号等の情報と共に、通信部２４０にてサーバ装置５へ送信する（ステップＳ２２）。その後、制御部３１は、位置情報の判定結果をサーバ装置５から受信したか否かを判定し（ステップＳ２３）、判定結果を受信していない場合には（Ｓ２３：ＮＯ）、判定結果を受信するまで待機する。
【００６５】
サーバ装置５から位置情報の判定結果を受信した場合（Ｓ２３：ＹＥＳ）、制御部３１は、受信した判定結果に基づいて、ステップＳ２１にて取得した位置情報が所定位置範囲内であるか否かを判定する（ステップＳ２４）。所定位置範囲内でない場合（Ｓ２４：ＮＯ）、制御部３１は、表示部３５にエラーメッセージを表示して（ステップＳ２５）、ステップＳ２１へ処理を戻し、位置情報の取得及び判定を繰り返し行う。位置情報が所定範囲内の場合（Ｓ２４：ＹＥＳ）、制御部３１は、ＩＤコード書き換えに係る操作を行うためのメニューを表示部３５に表示し（ステップＳ２６）、新たなキー２のＩＤコード、ユーザ名及び車輌１の識別番号等の情報の入力を入力部３３又は操作部３４にて受け付ける（ステップＳ２７）。
【００６６】
次いで制御部３１は、表示部３５にメッセージを表示するなどして生体情報の取得を要求し（ステップＳ２８）、生体情報センサ３６にて生体情報の取得を行う（ステップＳ２９）。制御部３１は、取得した生体情報を、ステップＳ２７にて受け付けたユーザ名及び車輌１の識別番号等の情報と共に、通信部２４０にてサーバ装置５へ送信する（ステップＳ３０）。その後、制御部３１は、通信部２４０にて生体認証の結果をサーバ装置５から受信したか否かを判定し（ステップＳ３１）、生体認証の結果を受信していない場合には（Ｓ３１：ＮＯ）、生体認証の結果を受信するまで待機する。
【００６７】
生体認証の結果を受信した場合（Ｓ３１：ＹＥＳ）、制御部３１は、受信した結果を基に、生体認証が成功したか否かを判定する（ステップＳ３２）。生体認証に成功した場合（Ｓ３２：ＹＥＳ）、制御部３１は、ステップＳ２７にて入力を受け付けた新たなＩＤコードを、ＩＤコードの書換命令などと共に接続部３２からイモビライザＥＣＵ１０へ送信し（ステップＳ３３）、処理を終了する。生体認証に失敗した場合（Ｓ３２：ＮＯ）、制御部３１は、表示部３５にエラーメッセージを表示して（ステップＳ３４）、処理を終了する。
【００６８】
図７は、実施の形態２に係るＩＤコード書換装置２０３が行う周期的な位置情報送信処理の手順を示すフローチャートである。なお本処理は、図５及び図６に示したＩＤコードの書換処理と並列的に行われる。また本処理においてはタイマによる計時を行うが、このタイマは制御部３１内に設けられている。位置情報送信処理において、ＩＤコード書換装置２０３の制御部３１は、タイマによる計時をスタートし（ステップＳ４１）、所定時間が経過したか否かを判定する（ステップＳ４２）。所定時間が経過していない場合（Ｓ４２：ＮＯ）、制御部３１は、所定時間が経過するまで待機する。
【００６９】
所定時間が経過した場合（Ｓ４２：ＹＥＳ）、制御部３１は、ＧＰＳ受信部３８にて受信した信号を基に現在の位置情報を取得し（ステップＳ４３）、取得した位置情報を、位置情報の蓄積命令及びＩＤコード書換装置２０３の識別番号等の情報と共に、通信部２４０にてサーバ装置５へ送信する（ステップＳ４４）。その後、制御部３１は、タイマをリセットして（ステップＳ４５）、ステップＳ４１へ処理を戻し、上述の処理を繰り返し行う。
【００７０】
図８は、サーバ装置５が行う処理の手順を示すフローチャートである。サーバ装置５の制御部５１は、ＩＤコード書換装置２０３からの位置情報を通信部５２にて受信したか否かを判定する（ステップＳ５１）。位置情報を受信していない場合（Ｓ５１：ＮＯ）、制御部５１は、ＩＤコード書換装置２０３からの生体情報を通信部５２にて受信したか否かを判定する（ステップＳ５７）。生体情報を受信していない場合（Ｓ５７：ＮＯ）、制御部５１は、ステップＳ５１へ処理を戻し、位置情報又は生体情報を受信するまで待機する。位置情報を受信した場合（Ｓ５１：ＹＥＳ）、制御部５１は、受信した位置情報を、この位置情報の送信元のＩＤコード書換装置２０３の識別番号などに対応付けて、位置情報記憶部５５に記憶する（ステップＳ５２）。
【００７１】
次いで制御部５１は、受信した位置情報に関して、所定位置範囲内であるか否かの判定が必要であるか否かを調べる（ステップＳ５３）。例えば、受信した位置情報に判定命令又は蓄積命令のいずれが付されていたかに応じて、制御部５１は判定が必要であるか否かを判断することができる。判定が必要でない場合（Ｓ５３：ＮＯ）、制御部５１は、ステップＳ５１へ処理を戻す。判定が必要な場合（Ｓ５３：ＹＥＳ）、制御部５１は、位置情報と共に受信したＩＤコード書換装置２０３の識別番号などの情報に基づき、位置情報の送信元のＩＤコード書換装置２０３に対応付けられた所定位置範囲を位置範囲記憶部５４から読み出す（ステップＳ５４）。次いで制御部５１は、受信した位置情報が読み出した所定位置範囲内であるか否かの判定を行い（ステップＳ５５）、判定結果を通信部５２にてＩＤコード書換装置２０３へ送信し（ステップＳ５６）、ステップＳ５１へ処理を戻す。
【００７２】
また制御部５１は、通信部５２にてＩＤコード書換装置２０３からの生体情報を受信した場合（Ｓ５７：ＹＥＳ）、生体情報と共に受信したユーザ名及び車輌１の識別番号等の情報を基に、対応するユーザの生体情報を生体情報記憶部５３から読み出す（ステップＳ５８）。次いで制御部５１は、ＩＤコード書換装置２０３から受信した生体情報と、生体情報記憶部５３から読み出した生体情報とに基づいて生体認証処理を行い（ステップＳ５９）、生体認証結果を通信部５２にてＩＤコード書換装置２０３へ送信し（ステップＳ６０）、ステップＳ５１へ処理を戻す。
【００７３】
以上の構成の実施の形態２に係るＩＤコード書換システムは、生体情報の記憶及び生体認証の処理をサーバ装置５が行う構成であるため、異なる複数のＩＤコード書換装置２０３が共通の生体情報を利用することができる。生体情報をＩＤコード書換装置２０３が記憶しなくてよいため、ＩＤコード書換装置２０３が盗難された場合であっても、生体情報の盗難又は改竄等がなされることがない。また、所定位置範囲の記憶及び判定をサーバ装置５が行う構成であるため、ＩＤコード書換装置２０３が盗難された場合であっても、所定位置範囲の改竄などがなされることがない。また、ＩＤコード書換装置２０３がＧＰＳに基づく位置情報を取得して周期的にサーバ装置５へ送信し、サーバ装置５が受信した位置情報を位置情報記憶部５５に記憶する構成であるため、ＩＤコード書換装置２０３が盗難された場合にその位置を追跡することができる。
【００７４】
なお本実施の形態においては、ＩＤコード書換システムがサーバ装置５を１つ備える構成としたが、これに限るものではなく、複数のサーバ装置５を備える構成であってよく、例えば生体認証及び位置範囲判定をそれぞれ異なるサーバ装置５にて行う構成とすることができる。また生体認証及び位置範囲判定の両方をサーバ装置５にて行うのではなく、いずれか一方をサーバ装置５にて行い、他方を実施の形態１に係るＩＤコード書換装置３と同様に実施の形態２に係るＩＤコード書換装置２０３にて行う構成であってよい。
【００７５】
なお実施の形態２に係るＩＤコード書換システムのその他の構成は、実施の形態１に係るＩＤコード書換システムの構成と同様であるため、同様の箇所には同じ符号を付して詳細な説明を省略する。
【００７６】
（実施の形態３）
図９は、実施の形態３に係るＩＤコード書換システムの構成を示すブロック図である。実施の形態３に係るＩＤコード書換システムは、ＩＤコード書換装置３０３及びサーバ装置５に加えて、通信装置７を備える構成である。実施の形態３に係るＩＤコード書換装置３０３は、サーバ装置５との間で直接的に通信を行う機能を備えておらず、ＩＤコード書換装置３０３及びサーバ装置５の通信は通信装置７を介して行われる。このためＩＤコード書換装置３０３は、例えば信号ケーブルなどを介して通信装置７を接続するための接続部３４０を有している。また実施の形態３に係るＩＤコード書換装置３０３は、生体情報センサ３６を有しておらず、通信装置７が生体情報センサ７４を有している。このためＩＤコード書換装置３０３による生体情報の取得は、通信装置７の生体情報センサ７４を利用して行われる。
【００７７】
ＩＤコード書換装置３０３の接続部３４０は、信号ケーブルを接続するための端子を有している。接続部３４０は、信号ケーブルを介して通信装置７に接続することができ、通信装置７との間で情報の授受を行う。接続部３４０は、通信装置からの情報を制御部３１へ与え、制御部３１からの情報を通信装置７へ与える。
【００７８】
通信装置７は、例えば携帯電話器などの可搬型の装置であってもよく、車輌１のディーラなどに設置された装置であってもよい。通信装置７は、制御部７１、接続部７２、通信部７３及び生体情報センサ７４を備えて構成されている。制御部７１は、ＣＰＵ又はＭＰＵ等の演算処理装置で構成され、予めＲＯＭなどに記憶されたプログラムを読み出して実行することにより、各種の演算処理を行う。特に本実施の形態においては、制御部７１は、ＩＤコード書換装置３０３及びサーバ装置５の間の通信を中継する処理、及び、生体情報の取得処理等を行う。
【００７９】
接続部７２は、信号ケーブルを接続するための端子を有している。接続部７２は、信号ケーブルを介してＩＤコード書換装置３０３に接続することができ、ＩＤコード書換装置３０３との間で情報の授受を行う。接続部７２は、ＩＤコード書換装置３０３からの情報を制御部７１へ与え、制御部７１からの情報をＩＤコード書換装置３０３へ与える。
【００８０】
通信部７３は、ＬＡＮ、インターネット又は携帯電話網等のネットワークを介してサーバ装置５との間で情報を送受信する。通信部７３が行う通信は有線又は無線のいずれであってもよい。通信部７３は、制御部７１から与えられた情報をサーバ装置５へ送信すると共に、サーバ装置５から受信した情報を制御部７１へ与える。
【００８１】
生体情報センサ７４は、ユーザの生体情報を取得するためのセンサであり、実施の形態１に係るＩＤコード書換装置３が備える生体情報センサ３６と略同じものである。生体情報センサ７４が検知する生体情報は、例えばユーザの指紋、静脈、声紋又は虹彩等であってよく、これら以外のものであってよい。生体情報センサ７４が検知した生体情報は、制御部７１へ与えられる。
【００８２】
実施の形態３に係るＩＤコード書換システムは、ＩＤコード書換装置３０３が通信装置７を介してサーバ装置５との通信を行う構成であること、及び、ＩＤコード書換装置３０３が生体情報センサ３６を備えず、通信装置７が生体情報センサ７４を備える構成であることを除き、その他の点では実施の形態２に係るＩＤコード書換システムと同様である。実施の形態３に係るＩＤコード書換システムでは、車輌１のイモビライザＥＣＵ１０のＩＤコードを書き換える場合、ディーラなどの作業者はまずＩＤコード書換装置３０３及び通信装置７の接続を行う。その後、作業者が行う手順は実施の形態２に係るＩＤコード書換システムと略同じである。
【００８３】
ただし車輌１のユーザは、通信装置７に設けられた生体情報センサ７４にて生体情報の入力を行う。このためＩＤコード書換装置３０３の制御部３１は、生体情報の取得を行う必要がある場合、通信装置７に対して生体情報の取得命令を与える。これに応じて通信装置７は、生体情報センサ７４にて生体情報の取得を行い、取得した生体情報をサーバ装置５へ送信する。サーバ装置５は、受信した生体情報に基づいて生体認証を行い、その結果を通信装置７へ送信する。生体認証の結果を受信した通信装置７は、これをＩＤコード書換装置３０３へ与える。
【００８４】
以上の構成の実施の形態３に係るＩＤコード書換システムは、ＩＤコード書換装置３０３に通信装置７を接続する構成とすることにより、ＩＤコード書換装置３０３は通信機能を備える必要がないため低コスト化することができる。またＩＤコード書換装置３０３が盗難された場合であっても、通信装置７がなければサーバ装置５との通信を行うことができず、ＩＤコードの書き換えを行うことはできない。例えば通信装置７が設置固定されたものである場合には、通信装置７を盗難することが困難であるため、ＩＤコード書換装置３０３を悪用した車輌１の盗難をより確実に防止できる。また生体情報センサ７４を通信装置７に設ける構成とすることにより、ＩＤコード書換装置３０３のみでは生体認証を行うことができないため、車輌１の盗難をより確実に防止できる。
【００８５】
なお本実施の形態においては、生体情報センサ７４を通信装置に設ける構成としたが、これに限るものではなく、実施の形態２に係るＩＤコード書換装置２０３と同様に、実施の形態３に係るＩＤコード書換装置３０３に生体情報センサ３６を備える構成としてもよい。
【００８６】
なお実施の形態３に係るＩＤコード書換システムのその他の構成は、実施の形態２に係るＩＤコード書換システムの構成と同様であるため、同様の箇所には同じ符号を付して詳細な説明を省略する。
【符号の説明】
【００８７】
１  車輌
２  キー（通信器）
２ａ  ＩＤコード送信器
３  ＩＤコード書換装置（車輌認証情報書換装置）
３ａ  信号ケーブル
５  サーバ装置
７  通信装置
１０  イモビライザＥＣＵ（車輌盗難防止装置）
１１  制御部（認証手段、制御手段）
１２  無線通信部（通信手段）
１３  記憶部
１４  接続部
１５  出力部
１７  エンジンＥＣＵ
３１  制御部（受付手段、生体認証手段、認証情報送信手段、位置情報取得手段、位置判定手段）
３２  接続部（認証情報送信手段）
３３  入力部（受付手段）
３４  操作部
３５  表示部
３６  生体情報センサ（生体情報取得手段）
３７  生体情報記憶部
３８  ＧＰＳ受信部（位置情報取得手段）
３９  位置範囲記憶部
５１  制御部（生体認証手段、位置判定手段）
５２  通信部（生体情報受信手段、生体認証結果送信手段、位置情報受信手段、位置判定結果送信手段）
５３  生体情報記憶部
５４  位置範囲記憶部
５５  位置情報記憶部
７１  制御部
７２  接続部
７３  通信部
７４  生体情報センサ
２０３  ＩＤコード書換装置（車輌認証情報書換装置）
２４０  通信部（生体情報送信手段、生体認証結果受信手段、位置情報送信手段、位置判定結果受信手段）
３０３  ＩＤコード書換装置（車輌認証情報書換装置）
３４０  接続部
【図１】
2013233845.tif 000003
【図２】
2013233845.tif 000004
【図３】
2013233845.tif 000005
【図４】
2013233845.tif 000006
【図５】
2013233845.tif 000007
【図６】
2013233845.tif 000008
【図７】
2013233845.tif 000009
【図８】
2013233845.tif 000010
【図９】
2013233845.tif 000011